(57)【特許請求の範囲】
【請求項１】
発電システムにおける空冷式の復水器であって、
前記発電システムのタービンから排出された蒸気を冷却する復水部、及び、前記発電システムの補器を冷却して温度が上昇した冷却水を冷却する冷却水回復部を含む少なくとも一つの熱交換部と、
前記少なくとも一つの熱交換部の下方に配置され、前記熱交換部に冷却風を送風するための送風部と、を備え、
前記少なくとも一つの熱交換部は、
斜め方向に延在する一方側伝熱面であって、前記蒸気を前記復水部の蒸気分配管と同
方向に延びる前記熱交換部の軸線に沿って上端が延在する一方側伝熱面と、
前記一方側伝熱面の上端同士の間隔よりも、下端同士の間隔が大きくなるように斜め方向に延在する他方側伝熱面であって、前記軸線に沿って上端が延在する他方側伝熱面と、
を含み、
前記少なくとも一つの熱交換部は、第１熱交換部、及び前記第１熱交換部の下方に重なるように配設されている第２熱交換部を含み、
前記第１熱交換部の前記一方側伝熱面及び前記他方側伝熱面は、前記復水部により構成され、
前記第２熱交換部の前記一方側伝熱面及び前記他方側伝熱面は、前記冷却水回復部により構成され、
前記復水部は、前記蒸気分配管と、復水集合管と、前記蒸気分配管と前記復水集合管とに接続された複数の復水用伝熱管と、を含み、
前記冷却水回復部は、前記冷却水を受け入れる冷却水分配管と、前記復水集合管とは別体に構成された冷却水集合管と、前記冷却水分配管と前記冷却水集合管とに接続される複数の冷却水用伝熱管と、を含む、
復水器。
【請求項２】
前記熱交換部の前記一方側伝熱面と前記他方側伝熱面にミスト状の水分を供給するための水噴霧装置を備える、
請求項１に記載の復水器。
【請求項３】
蒸気を生成するボイラと、
前記ボイラから送られた前記蒸気で回転駆動するタービンと、
前記タービンの回転エネルギーを電気エネルギーに変換する発電機と、
請求項１又は２に記載の復水器と、を備える、
発電システム。
【請求項４】
前記発電システムに具備される複数の冷却対象と前記復水器の前記冷却水回復部との間で冷却水を循環させる冷却水流路が閉鎖系で構成されている、
請求項３に記載の発電システム。
【請求項５】
前記復水器の冷却水回復部で冷却した冷却水を循環供給する前記冷却対象は、少なくともタービン油とポンプと発電機とを含み、
前記冷却水流路は、
前記少なくともタービン油とポンプと発電機とにそれぞれ、前記冷却水回復部から冷却水を供給し、前記少なくともタービン油とポンプと発電機とをそれぞれ冷却した後の冷却水を合流して前記冷却水回復部に送るように構成されている、
請求項４に記載の発電システム。
【発明の詳細な説明】
【技術分野】
【０００１】
本開示は、復水器及び発電システムに関する。
【背景技術】
【０００２】
従来、発電プラント（発電システム）１００には、例えば、図７に示すように、高温高圧の蒸気Ｓを生成するボイラ２と、ボイラ２で生成した蒸気Ｓの熱エネルギーを回転エネルギーに変換するタービン３と、タービン３の回転エネルギーを電気エネルギーに変換する発電機４と、を備えて構成したものがある。
【０００３】
また、発電プラント１００には、タービン３から出た蒸気Ｓ’を冷却して凝縮させ、水（復水Ｗ１）に戻すための復水器５を備えたものがある。復水器５は蒸気Ｓ’を復水処理することによって内部圧力が非常に低くなるため、この復水器５を備えることでタービン３の背圧を低くすることができ、タービン３で蒸気を十分に膨張させることが可能になる。すなわち、復水器５を備えることでタービン３のタービン効率（熱効率）を向上させることが可能になる。
【０００４】
さらに、復水器５で凝縮した水Ｗ１を復水タンク１９から循環ポンプ７で抽出し、再びボイラ２に送って蒸気Ｓの生成に利用することができ、復水器５を備えることで使用水量の低減を図ることも可能になる。
【０００５】
一方、このような復水器５には、冷却媒体として水を用いる水冷式、空気を用いる空冷式がある（例えば、特許文献１参照）。
【０００６】
空冷式の復水器５は、蒸気Ｓ’が流通する蒸気分配管５ａと、蒸気分配管５ａに分岐接続され、蒸気Ｓ’が流通するとともに冷却して復水処理するための複数の復水用伝熱管（フィンチューブ）５ｂと、複数の復水用伝熱管５ｂで生じた復水Ｗ１を集水し、復水タンク１９に送るための復水集合管５ｃと、複数の復水用伝熱管５ｂに冷却風Ｒを送風して蒸気Ｓ’を冷却するための送風機５ｄと、を備えている。このような空冷式の復水器５は、水冷式に比べて大きな冷却媒体の体積流量が必要になるが、反面、低コスト、省資源、高操作性などの多くの利点を有している。
【０００７】
さらに、発電プラント１００は、復水器５を含め、循環ポンプ７、給水ポンプ８、１６、復水ポンプなどの各種ポンプ、給水加熱器、脱気器９、押込通風機、励磁機などの多くの補機１０を備えて構成されている。これら各種ポンプなどの補機１０には、補機１０自体ひいてはタービン３の連続運転を安定的に行うために加熱部を冷却する必要があるものがある。
【０００８】
このため、従来、発電プラント１００は、これら補機１０の加熱部を冷却するための冷却装置（冷却塔）１１を別途備え、さらに、冷却装置１１で冷却した冷却水Ｗ３（図７中の（ａ）,（ｂ）,（ｃ））を一時的に貯留する冷却水タンク１２と、冷却水Ｗ３（（ａ）,（ｂ）,（ｃ））を冷却水タンク１２から補機１０の加熱部に供給し、冷却装置１１との間で循環させるための冷却水ポンプ１６及び冷却水流路１４と、を備えて構成されている。
【０００９】
一方、図７に示すように、蒸気Ｓ’を冷却して復水処理する空冷式の復水器５と、補機１０の加熱部用の冷却水Ｗ３を冷却するための冷却装置１１などと、をそれぞれ個別に備えると、設備コスト、ランニングコストが嵩み、また、復水器５、冷却装置１１などをそれぞれ設置するための広範な占有ペースが必要になる。このため、蒸気Ｓ’と補機１０用の冷却水Ｗ３を一緒に冷却可能な装置、システムが望まれていた。
【００１０】
これに対し、特許文献１には、水噴霧ノズルのノズルチップからミスト（ミスト状の水）を噴霧して湿度と温度が調節された外気（冷却風）を、復水用伝熱管を備えてなる山型の熱交換部に下方から送風機で吹き付けて復水処理を行うように構成した空冷式の復水器（空冷式蒸気復水装置）が開示されている。
【００１１】
さらに、特許文献１（第４図）には、送風機の直上に幅方向に水平に冷却水用伝熱管を複数延設して構成した空冷式の復水器が開示されている。すなわち、山型の熱交換部の下部で幅方向の左右両側に配された一方の復水集合管から他方の復水集合管に向かう幅方向に沿って水平に真っ直ぐ延びる複数の冷却水用伝熱管を、送風機の直上に設けて構成した空冷式の復水器が開示されている。
【００１２】
このように構成した特許文献１の空冷式の復水器においては、送風機の駆動によって下方から上方に流れる冷却風（ミストを含む冷却風）で複数の冷却水用伝熱管を冷却し、複数の冷却水用伝熱管を通過した冷却風で、上方の複数の復水用伝熱管を冷却することができる。
【００１３】
これにより、他の機器の冷却に使用された後の冷却水（冷却排水）を複数の冷却水用伝熱管に流通させることによって再冷却することができるとともに、複数の冷却水用伝熱管を冷却して上方に通過した冷却風によって複数の復水用伝熱管を流通する蒸気を冷却し復水処理することが可能になる。
【先行技術文献】
【特許文献】
【００１４】
【特許文献１】特開２０１０−１６９２８５号公報
【発明の概要】
【発明が解決しようとする課題】
【００１５】
しかしながら、特許文献１の空冷式の復水器においては、送風機の直上に真っ直ぐ複数の冷却水用伝熱管が小さな隙間をあけて並設されている。このため、冷却風を、これら複数の冷却水用伝熱管の間の隙間を通し、さらに上方の複数の復水用伝熱管の間の隙間を通して流通させる必要があり、送風機の消費動力が非常に高くなる。
【００１６】
言い換えれば、上方の複数の復水用伝熱管を流通する蒸気を適正に復水処理するために、非常に大きな動力規格の送風機が必要になる。
【００１７】
さらに言い換えれば、冷却風だけでは上方の複数の復水用伝熱管を流通する蒸気を適正に復水処理することができないため、特許文献１の空冷式の復水器においては、冷却風にミストを含ませて所望の冷却効率を確保することが必要になる。これにより、特許文献１の空冷式の復水器では、ミストを噴霧する水噴霧器や、空気整流部材などを必須の構成要素として具備せざるを得ず、やはり、設備コスト、ランニングコストが嵩むことになる。
【００１８】
また、特許文献１の空冷式の復水器においては、送風機の直上に真っ直ぐ複数の冷却水用伝熱管が小さな隙間をあけて並設されているため、複数の冷却水用伝熱管の冷却風との接触面積が小さい。これにより、冷却水を冷却する所望の冷却性能を確保するために、ミスト量の増大、冷却風の風量ひいては送風機の動力の増大を招くことになる。さらに、所望の冷却性能を確保するために、複数の冷却水用伝熱管にそれぞれ流す冷却水の流速を低減することも必要になる。この点からも、設備コスト、ランニングコストが嵩むことになる。
【００１９】
本開示は、上記事情に鑑み、より効率的且つ経済的で好適に、蒸気を復水処理しつつ、補機などを冷却した後の冷却水を冷却処理することを可能にする復水器及び発電システムを提供することを目的とする。
【課題を解決するための手段】
【００２０】
本開示の復水器の一態様は、空冷式の復水器であって、タービンから排出された蒸気を冷却する復水部、及び、温度が上昇した冷却水を冷却する冷却水回復部を含む少なくとも一つの熱交換部と、前記少なくとも一つの熱交換部の下方に配置され、前記熱交換部に冷却風を送風するための送風部と、を備え、前記少なくとも一つの熱交換部は、斜め方向に延在する一方側伝熱面であって、前記熱交換部の軸線に沿って上端が延在する一方側伝熱面と、前記一方側伝熱面の上端同士の間隔よりも、下端同士の間隔が大きくなるように斜め方向に延在する他方側伝熱面であって、前記軸線に沿って上端が延在する他方側伝熱面と、を含む。
【００２１】
本開示の発電システムの一態様は、蒸気を生成するボイラと、前記ボイラから送られた前記蒸気で回転駆動するタービンと、前記タービンの回転エネルギーを電気エネルギーに変換する発電機と、上記の復水器と、を備える。
【発明の効果】
【００２２】
本開示の復水器（及びこれを備えた発電システム）によれば、従来の復水器と比較し、より効率的且つ経済的で好適に、蒸気を復水処理しつつ、補機を冷却した後の冷却水を冷却処理することが可能になる。
【図面の簡単な説明】
【００２３】
【図１】一態様の発電システム及び復水器の一例を示す図である。
【図２】一態様の復水器の一例を示す斜視図である。
【図３】一態様の復水用伝熱管、冷却水用伝熱管の一例を示す斜視図である。
【図４】一態様の復水器の熱交換部の一例を示す斜視図である。
【図５】一態様の復水器の熱交換部の変更例を示す斜視図である。
【図６】一態様の復水器の熱交換部の変更例を示す斜視図である。
【図７】従来の発電システム及び復水器を示す図である。
【発明を実施するための形態】
【００２４】
以下、図１から図６を参照し、一実施形態に係る復水器及び発電システムについて説明する。ここで、本実施形態では、発電システムがバイオマス発電システムであるものとして説明を行う。但し、本開示の復水器を備える発電システムは、必ずしもバイオマス発電システムに限定する必要はなく、バイオマス以外の固形燃料や、液体燃料を用いて発電を行う発電システムであっても勿論構わない。
【００２５】
（発電システム）
本実施形態の発電システム１は、図１に示すように、木材チップなどのバイオマス燃料を直接燃焼させて高温高圧の蒸気Ｓを生成する流動床ボイラなどのボイラ２と、ボイラ２で生成した蒸気Ｓによって回転駆動するタービン３と、タービン３の回転エネルギーを電気エネルギーに変換する発電機４と、を備えて構成されている。
【００２６】
この発電システム１は、発電機４で発電した電力を商用系統の送電設備（変電設備などを含む）６に送電する送電路６ａを備えている。
【００２７】
さらに、本実施形態の発電システム１は、ボイラ２からタービン３に蒸気Ｓを供給するための蒸気供給流路１５と、タービン３から排出された蒸気Ｓ’を復水処理するための復水器２０や、給水ポンプ８、循環ポンプ７、冷却水ポンプ１６、復水ポンプなどの各種ポンプ、給水加熱器、脱気器９、押込通風機、励磁機などの各種補機１０を備えている。
【００２８】
そして、この発電システム１では、ボイラ２で生成した高温高圧の蒸気Ｓがタービン３に送られて回転駆動し、これとともに発電機４で電力が発電される。また、タービン３から出た蒸気Ｓ’は復水器２０に送られて復水処理され、冷却、凝縮して生成された復水（水）Ｗ１が復水タンク１９に流入して一時的に貯留される。この復水Ｗ１は、給水ポンプ８、循環ポンプ７などの駆動によって、復水タンク１９から脱気器９を通じてボイラ２に送られて再利用される。なお、ボイラ２と復水タンク１９を繋ぐ給水流路１８には、復水Ｗ１とは別に給水Ｗ２が脱気器９を通じて供給され、ボイラ２に給送される。
【００２９】
（復水器）
一方、本実施形態の復水器２０は、空冷式の復水器であり、図１、図２に示すように、タービン３から排出された蒸気Ｓ’を冷却する復水部２５、及び温度が上昇した冷却水Ｗ３冷却する冷却水回復部２６を有する、少なくとも一つの熱交換部２７と、熱交換部２７の下方に配置され、熱交換部２７に冷却風Ｒを送風するための送風部（送風機）２８と、を備えて構成されている。
【００３０】
また、本実施形態の復水器２０の熱交換部２７は、斜め方向に延在する一方側伝熱面２９と、一方側伝熱面２９の上端同士の間隔よりも、下端同士の間隔が大きくなるように斜め方向に延在する他方側伝熱面３０と、を備え、山型を呈するように構成されている。
言い換えれば、少なくとも一つの熱交換部２７は、斜め方向に延在する一方側伝熱面２９であって、熱交換部２７の軸線Ｏ１（Ｏ２）に沿って上端が延在する一方側伝熱面２９と、一方側伝熱面２９の上端同士の間隔よりも、下端同士の間隔が大きくなるように斜め方向に延在する他方側伝熱面３０であって、軸線Ｏ１（Ｏ２）に沿って上端が延在する他方側伝熱面３０と、を含む。
【００３１】
より具体的に、熱交換部２７の復水部２５は、図２に示すように、タービン３から排出された蒸気Ｓ’が流通する蒸気分配管３１と、蒸気分配管３１に一端側を分岐接続して設けられ、蒸気分配管３１から蒸気Ｓ’が分配されて流通する複数の復水用伝熱管（フィンチューブ）３２と、複数の復水用伝熱管３２の他端側を接続して設けられ、各復水用伝熱管３２で生じた復水Ｗ１が流れ込み、この復水Ｗ１を外部に排出するための復水集合管３３と、を備えている。
【００３２】
また、復水部２５は、蒸気分配管３１が復水部２５及び熱交換部２７の上部に配設されるとともにその軸線Ｏ１方向に沿う水平の一方向Ｔ１に延設されている。
【００３３】
複数の復水用伝熱管３２は、蒸気分配管３１を中央にして、左右外側にそれぞれ配設され、言い換えれば、水平の一方向Ｔ１に直交する水平の他方向Ｔ２の両側にそれぞれ配設され、且つ、蒸気分配管３１に分岐接続した一端側から外側の他端側に向かうに従い漸次下方に傾斜して設けられている。
【００３４】
複数の復水用伝熱管３２はそれぞれ、水平の一方向Ｔ１に延設された蒸気分配管３１に直交し、一端の上端から他端の下端に向け、蒸気分配管３１に直交する水平の他方向Ｔ２に対して所定の傾斜角度θをもって斜設されている。
なお、図２では、複数の復水用伝熱管３２をそれぞれ描画せず、まとめた形に省略して図示している。また、本開示において、「水平」は「略水平などを含む横方向」を意味する。
【００３５】
複数の復水用伝熱管３２はそれぞれ、例えば、銅やアルミニウムなどの熱伝導性が高い素材を用いて形成されている。各復水用伝熱管３２は、例えば、図３に示すように、円管の伝熱管本体３２ａと、伝熱管本体３２ａの外周面から外側に突出する複数の放熱フィンなどの放熱部材３２ｂと、を一体に備え、所望の放熱性能（伝熱面の面積）が確保されるように形成されている。
なお、復水用伝熱管３２の構成は、本実施形態のように限定する必要はなく、所望の放熱性能を確保できれば適宜その形状を決めればよい。
【００３６】
復水集合管３３は、図２に示すように、復水部２５ひいては熱交換部２７の下部に配設されるとともに水平の一方向Ｔ１に延設され、複数の復水用伝熱管３２の下端（他端）が合流接続され、各復水用伝熱管３２で生じた復水Ｗ１が流下して流れ込むように設けられている。
【００３７】
これにより、本実施形態の復水部２５は、水平の一方向Ｔ１からの正面視で略三角形状の山型を呈するように構成されている。
【００３８】
熱交換部２７の冷却水回復部２６は、図２に示すように、各種補機１０等の冷却に用いられて温度が上昇した冷却水（冷却排水）Ｗ３が流通する冷却水分配管３５と、冷却水分配管３５に一端側を分岐接続して設けられ、冷却水分配管３５から冷却水Ｗ３が分配されて流通する複数の冷却水用伝熱管（フィンチューブ）３６と、複数の冷却水用伝熱管３６の他端側を接続して設けられ、各冷却水用伝熱管３６で冷却した冷却水（冷却回復水）Ｗ３が流れ込み、この温度が下がった冷却水Ｗ３を新たな冷却水として外部に給送するための冷却水集合管３７と、を備えている。
【００３９】
また、本実施形態の冷却水回復部２６においては、冷却水分配管３５が冷却水回復部２６の上部に配設されるとともに、その軸線Ｏ２方向に沿う水平の一方向Ｔ１に延設されている。
【００４０】
複数の冷却水用伝熱管３６は、復水部２５と同様に、冷却水分配管３５を中央にして、左右外側にそれぞれ配設され、言い換えれば、水平の一方向Ｔ１に直交する水平の他方向Ｔ２の両側にそれぞれ配設され、且つ、冷却水分配管３５に分岐接続した一端側から外側の他端側に向かうに従い漸次下方に傾斜して設けられている。
【００４１】
複数の冷却水用伝熱管３６はそれぞれ、水平の一方向Ｔ１に延設された冷却水分配管３５に直交し、一端の上端から他端の下端に向け、冷却水分配管３５に直交する水平の他方向Ｔ２に対して所定の傾斜角度（復水用伝熱管３２と略同じ傾斜角度θ）で斜設されている。
【００４２】
複数の冷却水用伝熱管３６はそれぞれ、例えば、銅やアルミニウムなどの熱伝導性が高い素材を用いて形成されている。各冷却水用伝熱管３６は、例えば、図３に示すように、円管の伝熱管本体３６ａと、伝熱管本体３６ａの外周面から外側に突出する複数の放熱フィンなどの放熱部材３６ｂと、を一体に備え、所望の放熱性能（伝熱面の面積）が確保されるように形成されている。
なお、冷却水用伝熱管３６の構成は、本実施形態のように限定する必要はなく、所望の放熱性能を確保できれば適宜その形状を決めればよい。
【００４３】
冷却水集合管３７は、下部に配設されるとともに水平の一方向Ｔ１に延設され、複数の冷却水用伝熱管３６の下端（他端）が合流接続され、各冷却水用伝熱管３６で冷却した冷却水Ｗ３が流下して流れ込むように設けられている。
【００４４】
これにより、本実施形態の冷却水回復部２６は、復水部２５と同様に、水平の一方向Ｔ１からの正面視で略三角形状の山型を呈するように構成されている。
【００４５】
本実施形態の送風部２８は、図１及び図２に示すように、回転翼と、回転翼を軸線周りに回転させる電動機と、を備えた送風機であり、山型の復水部２５及び冷却水回復部２６の直下に設けられている。送風部２８は、その駆動によって発生する冷却風Ｒを復水部２５や冷却水回復部２６の内側から、且つ復水部２５の複数の復水用伝熱管３２、冷却水回復部２６の複数の冷却水用伝熱管３６の下端側から、複数の復水用伝熱管３２や複数の冷却水用伝熱管３６に向けて上方に送風するように配設されている。
【００４６】
本実施形態では、複数の送風部（送風機）２８が水平の一方向Ｔ１に所定の間隔をあけて並設され、複数の送風部２８によって万遍なく復水部２５及び冷却水回復部２６を冷却できるように構成されている。
【００４７】
なお、例えば、１台の送風機を駆動して複数の送風口から冷却風Ｒを噴出させ、複数の復水用伝熱管３２や複数の冷却水用伝熱管３６を万遍なく冷却できるように構成してもよい。本実施形態の復水器２０においては、冷却風Ｒによって複数の復水用伝熱管３２や複数の冷却水用伝熱管３６を冷却し、蒸気Ｓ’の復水処理や冷却水Ｗ３の冷却回復処理を行うことが可能であれば、特に送風部２８の構成、その数を限定する必要はない。
【００４８】
送風部２８から冷却風Ｒが吹き付けられて復水部２５で発生した復水Ｗ１は、復水集合管３３から復水タンク１９に流れ込んで一時的に貯留される。また、復水Ｗ１は、循環ポンプ７、給水ポンプ８などの駆動によって復水タンク１９からボイラ２に供給されて蒸気Ｓの生成に再利用される。
【００４９】
また、送風部２８から冷却風Ｒが吹き付けられて冷却水回復部２６で、所定の温度に冷却した冷却水Ｗ３は、冷却水流路４１を通じて、冷却水集合管３７から冷却水タンク１２に流れ込んで一時的に貯留される。
【００５０】
冷却水Ｗ３は、冷却水流路４１を通じて、冷却水ポンプ１６の駆動とともに冷却水タンク１２から、例えば、給水ポンプ８や循環ポンプ７などの各種ポンプの軸受け、タービン油（タービン油タンク）、発電機４の加熱部など（冷却対象）に送られ、これら加熱部の冷却に利用される。すなわち、冷却媒体として冷却水タンク１２に供給された冷却水Ｗ３は、各加熱部に送られて冷却に供され、温度が上昇した冷却水Ｗ３として復水器２０の冷却水回復部２６に送られて冷却回復処理され、新たな冷却水として冷却水タンク１２から各加熱部に送られる。
【００５１】
そして、本実施形態の発電システム１では、必要に応じて適宜冷却水タンク１２への冷却水Ｗ３の補充を行いつつ、冷却水タンク１２に供給した冷却水Ｗ３をクローズドの系内（閉鎖系）で循環利用して発電システム１を稼働するように構成されている。
【００５２】
また、上記の通り、本実施形態の復水器２０では、蒸気Ｓ’を冷却して復水処理する復水部２５と、補機１０などの冷却に供されて温度が上昇した冷却水Ｗ３を冷却回復処理する冷却水回復部２６と、を組み合わせて熱交換部２７が構成されている。
【００５３】
さらに、本実施形態の復水器２０においては、図１及び図２、図４に示すように、山型の復水部２５の下方に、復水部２５と上下に重なるように山型の冷却水回復部２６を配置して復水器２０が構成されている。
【００５４】
言い換えれば、この復水器２０の熱交換部２７は、第１熱交換部（復水部２５）、及び第１熱交換部の下方に重なるように配設されている第２熱交換部（冷却水回復部２６）を含み、第１熱交換部の一方側伝熱面２９及び他方側伝熱面３０は、復水部２５により構成され、第２熱交換部の一方側伝熱面２９及び他方側伝熱面３０は、冷却水回復部２６により構成されている。
【００５５】
この場合には、復水部２５と冷却水回復部２６からなる熱交換部２７をコンパクトに構成することができ、熱交換部２７の占有スペースを小さく抑えることができる。
【００５６】
さらに、一方側伝熱面２９及び他方側伝熱面３０が傾斜して冷却水回復部２６が山型であるため、従来の幅方向（Ｔ２）に真っ直ぐ冷却水用伝熱管が延設されている場合と比較し、冷却水回復部２６の伝熱面２９、３０の面積、すなわち、冷却風Ｒとの接触面積を大きくすることができる。これにより、効率的で効果的に冷却水Ｗ３を冷却風Ｒで冷却することが可能になる。
【００５７】
また、復水部２５及び冷却水回復部２６の下方に配置された送風部２８から冷却風Ｒを上方に向けて送風し、冷却水回復部２６を冷却するとともに、さらに冷却水回復部２６を冷却して隣り合う冷却水用伝熱管３６の間から上方に通過した冷却風Ｒで復水部２５を冷却することができる。
【００５８】
このとき、冷却風Ｒによって、先に冷却水回復部２６で冷却水Ｗ３が冷却され、後から冷却水Ｗ３よりも高温の蒸気Ｓ’が復水部２５で冷却されて復水処理される。このように冷却風Ｒの冷却エネルギーの消費が少ない冷却水Ｗ３を先に冷却し、冷却風Ｒの大量の冷却エネルギーを消費する蒸気Ｓ’を後から冷却するように構成したことで、より効率的且つ効果的に冷却水Ｗ３と蒸気Ｓ’を冷却風Ｒで一緒に冷却することが可能になる。
【００５９】
また、一方側伝熱面２９及び他方側伝熱面３０が傾斜して冷却水回復部２６が山型であるため、従来の幅方向（Ｔ２）に真っ直ぐ冷却水用伝熱管が延設されている場合と比較し、送風部２８と冷却水回復部２６の複数の冷却水用伝熱管３６との距離を大きくすることができる。
【００６０】
これにより、冷却風Ｒを複数の冷却水用伝熱管３６の間の隙間を通し、さらに上方の複数の復水用伝熱管３２の間の隙間を通して流通させるための送風部２８の消費動力を低く、少なくすることができる。すなわち、大きな動力規格の送風機を用いることなく、消費電力（ファン動力）が低い送風機を用いて、下方の複数の冷却水用伝熱管３６を流通する冷却水Ｗ３と、上方の複数の復水用伝熱管３２を流通する蒸気Ｓ’と、を適正に冷却処理することが可能になる。
【００６１】
また、図２に示すように、ミストを噴霧する水噴霧装置（水噴霧器、水噴霧ノズル）４０を設けることで、上方の複数の復水用伝熱管３２を流通する蒸気Ｓ’を適正に復水処理することが可能となる。また、そのように冷却風Ｒにミストを含ませなくとも、空気整流部材４２（図５、図６参照）などを具備することで、好適に冷却水Ｗ３の冷却、蒸気Ｓ’の復水処理を行うことが可能になる。
【００６２】
このように水噴霧装置４０を備えて冷却風Ｒにミストを含ませるように構成すれば、ミスト状の水分の気化による冷却効果を併用することができ、より一層、効率的且つ効果的に、冷却水Ｗ３と蒸気Ｓ’を冷却風Ｒで一緒に冷却することが可能になる。
【００６３】
したがって、本実施形態の復水器２０及びこれを備えた発電システム１によれば、空冷式の復水器２０によって蒸気Ｓ’とともに冷却水Ｗ３を、従来よりも効率的且つ効果的で好適に冷却することが可能になる。すなわち、従来の復水器５や特許文献１の復水器と比較し、より効率的且つ経済的で好適に、蒸気Ｓ’を復水処理しつつ、補機１２を冷却した後の冷却水Ｗ３を冷却処理することが可能になる。
【００６４】
ここで、本実施形態の復水器２０（及び発電システム１）において、熱交換部２７は、図５に示すように、復水部２５と冷却水回復部２６が互いの軸線Ｏ１、Ｏ２方向を水平の一方向Ｔ１に向けて並設されていてもよい。
【００６５】
言い換えれば、この復水器２０の熱交換部２７は、第１熱交換部（復水部２５）、及び第１熱交換部の軸線Ｏ１（Ｏ２）の延在方向における一方側に並設されている第２熱交換部（冷却水回復部２６）を含み、第１熱交換部の一方側伝熱面２９及び他方側伝熱面３０は、復水部２５により構成され、第２熱交換部の一方側伝熱面２９及び他方側伝熱面３０は、冷却水回復部２６により構成されている。
【００６６】
この場合には、復水部２５と冷却水回復部２６にそれぞれ送風部２８から冷却風Ｒが送られて復水処理と冷却水回復処理とを効率的且つ効果的に行うことができる。すなわち、図１、図２、図４に示した復水器２０と同様の作用効果を得ることが可能である。
【００６７】
また、この場合には、図４に示した復水器２０よりも復水部２５と冷却水回復部２６からなる熱交換部２７をコンパクトに構成することができ、熱交換部２７の占有スペースを小さく抑えることができる。
すなわち、復水部２５に冷却水回復部２６を備えつつ熱交換部２７を１段構成とすることができ、これにより、復水部２５と冷却水回復部２６に供給される冷却風Ｒが大気温度以上になることがなく、また、冷却風Ｒの圧損を小さく抑えることができる。このため、冷却風Ｒを供給する送風部（送風機）２８の小型化が可能になり、その結果、送風部２８の設置コストの低減、送風部２８の設置スペースの縮小が可能になる。
また、プラント（発電システム１）が小型であるほど、設置コストの低減効果は顕著なものとなる。すなわち、小型のプラントにおいては、一般的に冷却水を必要とする補機類も小型なものとなるため、冷却水回復部２６の必要面積も小さく、復水部２５に対して冷却水回復部２６を並列に設置することによる面積増加よりも送風部２８の小型化によるコストメリットが大きなものとなる。
【００６８】
これにより、総合的な観点から、消費電力（ファン動力）の低減、経済性の向上を図ることができる。
【００６９】
なお、冷却水回復部２６側に冷却風Ｒを送る送風部２８として、復水部２５側に冷却風Ｒを送る送風部２８よりも低規格の送風機を用いるようにしてもよい。このようにすれば、さらなる消費電力の低減、経済性の向上を図ることができる。
【００７０】
また、本実施形態の復水器２０（及び発電システム１）において、熱交換部２７は、図６に示すように、復水部２５の一部に冷却水回復部２６を組み込んで構成してもよい。
【００７１】
言い換えれば、この復水器２０の熱交換部２７は、一方側伝熱面２９が復水部２５により構成され、他方側伝熱面３０が復水部２５及び冷却水回復部２６により構成されている。
【００７２】
この場合には、図５に示した復水器２０と同様、図４に示した復水器２０よりも復水部２５と冷却水回復部２６からなる熱交換部２７をコンパクトに構成することができ、熱交換部２７の占有スペースを小さく抑えることができる。
すなわち、図５に示した復水器２０と同様、復水部２５に冷却水回復部２６を備えつつ熱交換部２７を１段構成とすることができ、復水部２５と冷却水回復部２６に供給される冷却風Ｒが大気温度以上になることがなく、また、冷却風Ｒの圧損を小さく抑えることができる。これにより、冷却風Ｒを供給する送風部２８の小型化が可能になり、その結果、送風部２８の設置コストの低減、送風部２８の設置スペースの縮小が可能になる。
また、プラント（発電システム１）が小型であるほど、設置コストの低減効果は顕著なものとなる。すなわち、小型のプラントにおいては、一般的に冷却水を必要とする補機類も小型なものとなるため、送風部２８の小型化によるコストメリットが大きなものとなる。
【００７３】
また、一方側伝熱面２９を復水部２５により構成し、他方側伝熱面３０を復水部２５及び冷却水回復部２６により構成した場合には、復水部２５と冷却水回復部２６にそれぞれ送風部２８から冷却風Ｒが送られて復水処理と冷却水回復処理とを効率的且つ効果的に行うことができる。すなわち、図１、図２、図４に示した復水器２０と同様の作用効果を得ることが可能である。
【００７４】
これにより、総合的な観点から、消費電力の低減、経済性の向上を図ることができる。
なお、この場合には、冷却水回復部２６が組み込まれた部分（他方側伝熱面３０の冷却水回復部２６）に冷却風Ｒを送る送風部２８として、冷却水回復部２６が組み込まれていない復水部２５側部分（一方側伝熱面２９）に冷却風Ｒを送る送風部２８よりも低規格の送風機を用いるようにしてもよい。このようにすれば、さらなる消費電力の低減、経済性の向上を図ることができる。
【００７５】
一方、本実施形態の発電システム１においては、複数の補機１０の加熱部などの冷却対象と復水器２０の冷却水回復部２６との間で冷却水Ｗ３を循環させる冷却水流路４１が閉鎖系で構成されている。
【００７６】
これにより、従来の冷却塔（冷却装置）を用いるなどして、冷却水流路４１の一部が開放されている場合のように、冷却水Ｗ３に雨水などが混入して冷却塔の受水槽内に藻が発生したり、冷却水Ｗ３の水質低下、蒸発による冷却水量の低下などを抑制できる。よって、給水量の削減、メンテナンス性の向上などを図ることが可能になる。
【００７７】
なお、図５や図６で示すように熱交換部２７を構成した場合においても、勿論、ミストを噴霧する水噴霧装置４０や、空気整流部材４２などを備えることで、より一層、効率的且つ効果的に、冷却水Ｗ３と蒸気Ｓ’を冷却風Ｒで一緒に冷却することが可能になる。
特に、図５（や図６）に示すような熱交換部２７の場合には、空気整流部材４２によって、１つの送風部２８から冷却風Ｒを復水部２５(必要流量：多)と冷却水回復部(必要流量：少)に分配することができる。
また、図６（や図５）に示すような復水部２５(必要流量：多)と冷却水回復部(必要流量：少)が混在する形態の熱交換部２７の場合、空気整流部材４２を備えることで、１つの送風部（送風機）２８からの冷却風Ｒを積極的に復水部２５の方に流すなどすることができる。
これにより、空気整流部材４２を備えることにより、より一層、効率的で経済的な復水器２０、発電システム１を実現することが可能になる。
なお、空気整流部材４２は、冷却風Ｒの整流方向や流量が固定式であってもよいし、可変式であってもよい。
【００７８】
さらに、本実施形態の発電システム１においては、図１に示すように、冷却水Ｗ３による冷却対象が少なくともタービン油とポンプと発電機とを含み、冷却水流路４１が、少なくともタービン油とポンプと発電機とにそれぞれ、冷却水回復部２６から冷却水Ｗ３を供給し、少なくともタービン油とポンプと発電機とをそれぞれ冷却した後の冷却水Ｗ３を合流して冷却水回復部２６に送るように構成されている。
【００７９】
この場合には、冷却水回復部２６で所望の温度まで冷却した冷却水Ｗ３を、冷却対象のタービン油、ポンプ、発電機の加熱部にそれぞれ給送して適正に冷却でき、各冷却対象を冷却して温度が上昇した冷却水Ｗ３を合流して冷却水回復部２６に送り、冷却水Ｗ３の再冷却処理をすることができる。これにより、さらに効率的且つ効果的に、冷却水Ｗ３を利用して冷却対象を冷却しつつ、冷却水回復部２６で冷却水Ｗ３を再冷却することが可能になる。また、冷却水Ｗ３の再冷却効率の向上を図ることができる。
【００８０】
最後に、実施形態に記載の内容は、例えば以下のように把握される。
【００８１】
（１）一態様に係る復水器は、空冷式の復水器（復水器２０）であって、タービン（タービン３）から排出された蒸気（蒸気Ｓ’）を冷却する復水部（復水部２５）、及び、温度が上昇した冷却水（冷却水Ｗ３）を冷却する冷却水回復部（冷却水回復部２６）を含む少なくとも一つの熱交換部（熱交換部２７）と、少なくとも一つの熱交換部の下方に配置され、熱交換部に冷却風（冷却風Ｒ）を送風するための送風部（送風部、送風機２８）と、を備え、少なくとも一つの熱交換部は、斜め方向に延在する一方側伝熱面（一方側伝熱面２９）であって、蒸気を復水部に送るための蒸気分配管（蒸気分配管３１）と同方向に延びる熱交換部の軸線（軸線Ｏ１（Ｏ２））に沿って上端が延在する一方側伝熱面と、一方側伝熱面の上端同士の間隔よりも、下端同士の間隔が大きくなるように斜め方向に延在する他方側伝熱面（他方側伝熱面３０）であって、軸線に沿って上端が延在する他方側伝熱面と、を含む。
【００８２】
上記（１）の復水器においては、蒸気を冷却して復水処理する復水部と、補機などの冷却対象の冷却に供されて温度が上昇した冷却水を冷却回復処理する冷却水回復部と、を組み合わせて復水器の熱交換部を構成することができる。
【００８３】
さらに、熱交換部は、一方側伝熱面及び他方側伝熱面が傾斜して山型を呈するように構成されるため、従来の幅方向に真っ直ぐ冷却水用伝熱管が延設されている場合と比較し、冷却水回復部の伝熱面の面積、すなわち、冷却風との接触面積を大きくすることができる。これにより、効率的で効果的に冷却水を冷却風で冷却することが可能になる。
【００８４】
また、従来の幅方向に真っ直ぐ冷却水用伝熱管が延設されている場合と比較し、送風部と冷却水回復部との距離を大きくすることができる。これにより、大きな動力規格の送風機を用いることなく、消費電力（ファン動力）が低い送風機を用いて、冷却水と蒸気とを一緒に適正に冷却処理することが可能になる。
【００８５】
したがって、従来の特許文献１の復水器などと比較し、より効率的且つ経済的で好適に、蒸気を復水処理しつつ、補機などの冷却対象を冷却した後の冷却水を冷却処理することが可能になる。
【００８６】
（２）別の態様に係る復水器は、上記（１）の復水器であって、少なくとも一つの熱交換部は、第１熱交換部、及び前記第１熱交換部の下方に重なるように配設されている第２熱交換部を含み、第１熱交換部の一方側伝熱面及び他方側伝熱面は、復水部により構成され、第２熱交換部の一方側伝熱面及び他方側伝熱面は、冷却水回復部により構成される。
【００８７】
上記（２）の復水器においては、まず、一方側伝熱面及び他方側伝熱面が傾斜して冷却水回復部が山型を呈するように構成されるため、従来の幅方向に真っ直ぐ冷却水用伝熱管が延設されている場合と比較し、冷却水回復部の伝熱面の面積、すなわち、冷却風との接触面積を大きくすることができる。これにより、効率的で効果的に冷却水を冷却風で冷却することが可能になる。
【００８８】
さらに、冷却水回復部が復水部の下方に上下方向に重なるように配設されるため、復水部と冷却水回復部を備えつつ熱交換部をコンパクトに構成することができ、熱交換部の占有スペースを小さく抑えることができる。
【００８９】
また、復水部及び冷却水回復部の下方に配置された送風部から冷却風を上方に向けて送風し、冷却水回復部を冷却するとともに、さらに冷却水回復部を冷却して上方に通過した冷却風で復水部を冷却することができる。
【００９０】
このとき、冷却風によって、先に冷却水回復部で冷却水が冷却され、後から冷却水よりも高温の蒸気が復水部で冷却されて復水処理される。このように冷却風の冷却エネルギーの消費が少ない冷却水が先に冷却され、冷却風の大量の冷却エネルギーを消費する蒸気が後から冷却されるように構成したことで、より効率的且つ効果的に冷却水と蒸気を冷却風で一緒に冷却することが可能になる。
【００９１】
また、一方側伝熱面及び他方側伝熱面が傾斜して冷却水回復部が山型を呈するように構成されるため、従来の幅方向に真っ直ぐ冷却水用伝熱管が延設されている場合と比較し、送風部と冷却水回復部との距離を大きくすることができる。
【００９２】
これにより、冷却風を複数の冷却水用伝熱管の間の隙間を通し、さらに上方の冷却水回復部を通して流通させるための送風部の消費動力を低くすることができる。すなわち、大きな動力規格の送風機を用いることなく、消費電力（ファン動力）が低い送風機を用いて）、下方の冷却水回復部を流通する冷却水と、上方の複数の復水部を流通する蒸気と、を適正に冷却処理することが可能になる。
【００９３】
（３）別の態様に係る復水器は、上記（１）の復水器であって、少なくとも一つの熱交換部は、第１熱交換部、及び第１熱交換部の軸線の延在方向における一方側に並設されている第２熱交換部を含み、第１熱交換部の一方側伝熱面及び他方側伝熱面は、復水部により構成され、第２熱交換部の一方側伝熱面及び他方側伝熱面は、冷却水回復部により構成される。
【００９４】
上記（３）の復水器においては、まず、一方側伝熱面及び他方側伝熱面が傾斜して冷却水回復部が山型を呈するように構成されるため、従来の幅方向に真っ直ぐ冷却水用伝熱管が延設されている場合と比較し、冷却水回復部の伝熱面の面積、すなわち、冷却風との接触面積を大きくすることができる。また、従来の幅方向に真っ直ぐ冷却水用伝熱管が延設されている場合と比較し、送風部と冷却水回復部との距離を大きくすることができる。
これにより、効率的で効果的に冷却水を冷却風で冷却することが可能になる。
【００９５】
よって、大きな動力規格の送風機を用いることなく、消費電力（ファン動力）が低い送風機を用いて）、冷却水回復部を流通する冷却水と復水部を流通する蒸気と、を適正に冷却処理することが可能になる。
【００９６】
さらに、復水部と冷却水回復部が並設されることで、復水部と冷却水回復部にそれぞれ送風部から冷却風が送られて復水処理と冷却水回復処理とを効率的且つ効果的に行うことができる。そして、このとき、冷却水回復部側に冷却風を送る送風部として、復水部側に冷却風を送る送風部よりも低規格の送風機を用いることができ、総合的観点から、消費電力の低減、経済性の向上を図ることができる。
【００９７】
また、第１熱交換部の復水部と第２熱交換部の冷却水回復部を並設して少なくとも一つの熱交換部が構成されているため、この熱交換部をコンパクトに構成することができ、熱交換部の占有スペースを小さく抑えることができる。
すなわち、復水部に冷却水回復部を備えつつ熱交換部を１段構成とすることができ、これにより、復水部と冷却水回復部に供給される冷却風が大気温度以上になることがなく、また、冷却風の圧損を小さく抑えることができる。このため、冷却風を供給する送風部（送風機）の小型化が可能になり、その結果、送風部の設置コストの低減、送風部の設置スペースの縮小が可能になる。
よって、復水部と冷却水回復部からなる熱交換部をコンパクトに構成することができ、熱交換部の占有スペースを小さく抑えることができる。
【００９８】
（４）別の態様に係る復水器は、上記（１）の復水器であって、少なくとも一つの熱交換部の一方側伝熱面は、復水部により構成され、少なくとも一つの熱交換部の他方側伝熱面は、復水部及び冷却水回復部により構成される。
【００９９】
上記（４）の復水器においては、まず、熱交換部が山型を呈するように、復水部に冷却水回復部を組み込んだ形で構成されるため、従来の幅方向に真っ直ぐ冷却水用伝熱管が延設されている場合と比較し、冷却水回復部の伝熱面の面積、すなわち、冷却風との接触面積を大きくすることができる。これにより、効率的で効果的に冷却水を冷却風で冷却することが可能になる。
【０１００】
また、従来の幅方向に真っ直ぐ冷却水用伝熱管が延設されている場合と比較し、送風部と冷却水回復部との距離を大きくすることができる。
【０１０１】
これにより、大きな動力規格の送風機を用いることなく、消費電力が低い送風機を用いて、冷却水回復部を流通する冷却水と、復水部を流通する蒸気と、を適正に冷却処理することが可能になる。
【０１０２】
また、上記（３）の復水器と同様、復水部と冷却水回復部からなる熱交換部をコンパクトに構成することができ、熱交換部の占有スペースを小さく抑えることができる。
すなわち、復水部に冷却水回復部を備えつつ熱交換部を１段構成とすることができ、これにより、復水部と冷却水回復部に供給される冷却風が大気温度以上になることがなく、また、冷却風の圧損を小さく抑えることができる。このため、冷却風を供給する送風部（送風機）の小型化が可能になり、その結果、送風部の設置コストの低減、送風部の設置スペースの縮小が可能になる。
よって、復水部と冷却水回復部からなる熱交換部をコンパクトに構成することができ、熱交換部の占有スペースを小さく抑えることができる。
小型プラントの場合、特に顕著な効果が得られる。冷却水を必要とする補機類も一般的に小型となり、冷却水回復部の必要面積が小さいため、並列設置による面積増加よりもファン小型化によるメリットが大きい。
【０１０３】
さらに、冷却水回復部が組み込まれた部分（他方側伝熱面）に冷却風を送る送風部として、冷却水回復部が組み込まれていない復水部側部分（一方側伝熱面）に冷却風を送る送風部よりも低規格の送風機を用いることもできる。このようにすれば、総合的な観点から、消費電力の低減、経済性の向上を図ることができる。
【０１０４】
（５）別の態様に係る復水器は、上記（１）乃至（４）の何れかの復水器であって、ミスト状の水分を噴出し、熱交換部の一方側伝熱面と他方側伝熱面にミスト状の水分を供給するための水噴霧装置（水噴霧装置４０）を備える。
【０１０５】
上記（５）の復水器においては、水噴霧装置によって熱交換部の一方側伝熱面と他方側伝熱面にミスト状の水分を含んだ冷却風を供給することができる。これにより、ミスト状の水分の気化による冷却効果を併用することができ、より一層、効率的且つ効果的に、冷却水と蒸気を冷却風で冷却することが可能になる。
【０１０６】
（６）一態様に係る発電システム（発電システム１）は、蒸気（蒸気Ｓ）を生成するボイラ（ボイラ２）と、ボイラから送られた蒸気で回転駆動するタービンと、タービンの回転エネルギーを電気エネルギーに変換する発電機（発電機４）と、上記（１）乃至（５）の何れかの復水器と、を備える。
【０１０７】
上記（６）の発電システムにおいては、上記（１）乃至（５）の何れかの復水器の作用効果を奏功する発電システムを提供することが可能になる。
【０１０８】
（７）別の態様に係る発電システムは、上記（６）の発電システムであって、発電システムに具備される複数の冷却対象（冷却対象（タービン油、ポンプ７、８、１６、発電機４）と復水器の冷却水回復部との間で冷却水を循環させる冷却水流路（冷却水流路４１）が閉鎖系で構成されている。
【０１０９】
上記（７）の発電システムにおいては、複数の補機の加熱部などの冷却対象と復水器の冷却水回復部との間で冷却水を循環させる冷却水流路が閉鎖系で構成されていることで、従来の冷却塔（冷却装置）を用いるなどして、冷却水流路の一部が開放されている場合のように、冷却水に雨水などが混入して冷却塔の受水槽内に藻が発生したり、冷却水の水質低下、蒸発による冷却水量の低下などを抑制できる。これにより、給水量の削減、メンテナンス性の向上などを図ることが可能になる。
【０１１０】
（８）別の態様に係る発電システムは、上記（７）の発電システムであって、復水器の冷却水回復部で冷却した冷却水を循環供給する冷却対象は、少なくともタービン油とポンプと発電機とを含み、冷却水流路は、少なくともタービン油とポンプと発電機とにそれぞれ、冷却水回復部から冷却水を供給し、少なくともタービン油とポンプと発電機とをそれぞれ冷却した後の冷却水を合流して冷却水回復部に送るように構成されている。
【０１１１】
上記（８）の発電システムにおいては、冷却水回復部で所望の温度まで冷却した冷却水を、冷却対象のタービン油、ポンプ、発電機の加熱部にそれぞれ給送して適正に冷却でき、各冷却対象を冷却して温度が上昇した冷却水を合流して冷却水回復部に送り、再冷却処理することができる。これにより、さらに効率的且つ効果的に、冷却水を利用して冷却対象を冷却しつつ、冷却水回復部で再冷却することが可能になる。
【符号の説明】
【０１１２】
１  発電システム
２  ボイラ
３  タービン
４  発電機
５  従来の復水器
６  送電設備
１０  補機
１５  蒸気供給流路
１８  給水流路
２０  復水器
２５  復水部
２６  冷却水回復部
２７  熱交換部
２８  送風部（送風機）
２９  一方側伝熱面
３０  他方側伝熱面
３１  蒸気分配管
３２  復水用伝熱管
３３  復水集合管
３５  冷却水分配管
３６  冷却水用伝熱管
３７  冷却水集合管
４０  水噴霧装置
４１  冷却水流路
４２  空気整流部材
１００  従来の発電システム
Ｏ１  軸線
Ｏ２  軸線
Ｒ  冷却風
Ｓ  蒸気
Ｓ’  蒸気
Ｔ１  一方向
Ｔ２  他方向
Ｗ１  復水
Ｗ２  給水
Ｗ３  冷却水
【要約】
【課題】より効率的且つ経済的で好適に、蒸気を復水処理しつつ、補機を冷却した後の冷却水を冷却処理することを可能にする復水器及び発電システムを提供する。
【解決手段】空冷式の復水器２０であって、タービン３から排出された蒸気Ｓ’を冷却する復水部２５、及び、温度が上昇した冷却水Ｗ３を冷却する冷却水回復部２６を含む熱交換部２７と、熱交換部２７の下方に配置され、熱交換部２７に冷却風Ｒを送風するための送風部２８と、を備え、熱交換部２７は、斜め方向に延在する一方側伝熱面２９と、一方側伝熱面２７の上端同士の間隔よりも、下端同士の間隔が大きくなるように斜め方向に延在する他方側伝熱面３０と、を含む。
【選択図】図１【図１】
0006793271.tif 000002
【図２】
0006793271.tif 000003
【図３】
0006793271.tif 000004
【図４】
0006793271.tif 000005
【図５】
0006793271.tif 000006
【図６】
0006793271.tif 000007
【図７】
0006793271.tif 000008